(57)【要約】【課題】  従来の折板屋根の構造のままで締結具による締付け力を高めることができる折板屋根用断熱ボードを提供する。【解決手段】  折板屋根用断熱ボード１６は金属製の矩形平板状の補強層１９を中心として構成され、その上面には発泡ウレタン製の断熱層１８が、その下面には発砲ウレタン製の断熱層２４が形成されている。補強層１９の所定箇所には貫通孔２２ｂが形成され、これに対応する断熱層１８及び断熱層２４の部分には貫通孔２２ｂが露出するように開口２１ｂ及び開口２５ｂが形成されている。取付けに際しては、ボルト３６ｂを貫通孔２２ｂ及び折板屋根２６の凸部２７に形成された開口３４と凸部２７の下面に配置された固定板３１ａとを挿通するようにセットする。そしてナット３７ｂを締め付けることによって折板屋根用断熱ボード１６は折板屋根２６に強固に固定される。【選択図】      図５
2008144494.tif 000002
【特許請求の範囲】
【請求項１】
折板屋根の上面に設置される折板屋根用断熱ボードであって、
平板状の補強層と、
前記補強層の少なくとも上面を覆うように発泡作用によって形成された第１断熱層とを備え、
前記補強層には、前記折板屋根に固定するための貫通孔が形成される、折板屋根用断熱ボード。
【請求項２】
前記補強層の下面を覆うように発泡作用によって形成された第２断熱層を更に備えた、請求項１記載の折板屋根用断熱ボード。
【請求項３】
前記第１断熱層には、前記貫通孔を露出する開口が形成される、請求項１記載の折板屋根用断熱ボード。
【請求項４】
前記第１断熱層及び前記第２断熱層の各々には、前記貫通孔が露出する第１開口及び第２開口が形成される、請求項２記載の折板屋根用断熱ボード。
【請求項５】
請求項１又は請求項２記載の折板屋根用断熱ボードを折板屋根に取り付けるための折板屋根用断熱ボードの取付け方法であって、
前記折板屋根の凸部の各々の上に前記折板屋根用断熱ボードを前記第１断熱層を上にして設置する第１工程と、
前記凸部の少なくとも１つの下面に、前記凸部の長手方向に延びる板状の固定板を配置する第２工程と、
前記補強層と前記固定板とで前記凸部を挟むように固定する第３工程とを備えた、折板屋根用断熱ボードの取付け方法。
【請求項６】
前記第１断熱層には前記貫通孔が露出する開口が形成され、
前記第３工程において、前記補強層の前記貫通孔、前記凸部及び前記固定板を貫通する複数のボルトを含む締結具によって固定されると共に、前記締結具の上部は前記開口内に収納され、
前記第１断熱層の上面を覆うように防水シートを敷設する第４工程を更に備えた、請求項５記載の折板屋根用断熱ボードの取付け方法。
【請求項７】
前記第１断熱層には前記貫通孔が露出する開口が形成され、
前記第３工程において、前記固定板の上面に固定され、前記補強層の前記貫通孔及び前記凸部を貫通する複数のボルトを含む締結具によって固定されると共に、前記締結具の上部は前記開口内に収納され、
前記第１断熱層の上面を覆うように防水シートを敷設する第４工程を更に備えた、請求項５記載の折板屋根用断熱ボードの取付け方法。
【請求項８】
前記第３工程において、前記締結具による固定の後に、前記開口を止水物によって塞ぐ工程を含む、請求項６又は請求項７記載の折板屋根用断熱ボードの取付け方法。
【発明の詳細な説明】
【技術分野】
【０００１】
この発明は折板屋根用断熱ボード及びこれを用いた取付け方法に関し、特に建物の天井を構成する折板屋根の上面に設置される折板屋根用断熱ボード及びこれを用いた取付け方法に関するものである。
【背景技術】
【０００２】
折板屋根は、長期間使用すると老朽化して雨漏り等の不具合が生じることがある。このため、施工から一定時間が経過した後に改修するのが好ましい。
【０００３】
図１１は、特許文献１に示されているように、従来の折板屋根を改修した際の折板屋根構造体の構成を示した概略斜視図であり、図１２は図１１で示したＸＩＩ−ＸＩＩラインの断面図である。
【０００４】
これらの図を参照して、凸部２７と凹部２８とが交互に現れる折板屋根２６の上面に定尺寸法の断熱ボード６１ａ〜断熱ボード６１ｃが設置されており、これらはビス６３によって折板屋根２６に固定されている。尚、断熱ボード６１ａ〜断熱ボード６１ｃの各々は、発泡ウレタン製の板状パネルより構成されている。
【０００５】
又、断熱ボード６１ａ〜断熱ボード６１ｃの上面には全面に塩化ビニール製の防水シート３２が敷き詰められている。これによって折板屋根２６が老朽化した場合にあっても、これを補修することによって断熱効果と防水効果とが付与されることになる。
【特許文献１】特開２００１−１２３５８７号公報
【発明の開示】
【発明が解決しようとする課題】
【０００６】
上記のような従来の断熱ボードにあっては、ビスによって折板屋根に固定されている。したがって、ビスによる、断熱ボードの強度以上の締付けはできない。しかし、断熱ボード自体は上述のように発泡ウレタンによって構成されているため強度は大きなものではない。その結果、断熱ボードの折板屋根への取付け強度が十分とはならない虞がある。
【０００７】
一方、ビスによる締付け強度を高めた場合、断熱ボードのみならず折板屋根自体にも負荷がかかることになる。そこで折板屋根への負荷を軽減するための構造が特開２００６−３７６２２号公報において提案されている。
【０００８】
図１３はこの構造を説明するための折板屋根構造体の概略断面図である。
【０００９】
図を参照して、折板屋根２６の凸部２７の各々の上面にはフレーム６５が取り付けられている。そして断熱ボード６１ｂはフレーム６５の各々の上に設置され、ビス６３によって固定されている。
【００１０】
この構造にあっては、ビス６３の締付けによる負荷は折板屋根２６に直接かからない。しかし、この構造を採用する際にはフレーム６５を折板屋根２６の凸部２７の上すべてに設けなければならず作業効率が低下することになる。
【００１１】
この発明は上記のような課題を解決するためになされたもので、従来の折板屋根の構造のままで締結部による締付け力を高めることができる折板屋根用断熱ボード及びこれを用いた取付け方法を提供することを目的とする。
【課題を解決するための手段】
【００１２】
上記の目的を達成するために、請求項１記載の発明は、折板屋根の上面に設置される折板屋根用断熱ボードであって、平板状の補強層と、補強層の少なくとも上面を覆うように発泡作用によって形成された第１断熱層とを備え、補強層には、折板屋根に固定するための貫通孔が形成されるものである。
【００１３】
このように構成すると、断熱ボードは補強層を介して固定される。
【００１４】
請求項２記載の発明は、請求項１記載の発明の構成において、補強層の下面を覆うように発泡作用によって形成された第２断熱層を更に備えたものである。
【００１５】
このように構成すると、断熱効果が向上すると共に断熱ボードの上面、下面の差が無くなる。
【００１６】
請求項３記載の発明は、請求項１記載の発明の構成において、第１断熱層には貫通孔を露出する開口が形成されるものである。
【００１７】
このように構成すると、開口を介して固定具を貫通孔にセットすることができる。
【００１８】
請求項４記載の発明は、請求項２記載の発明の構成において、第１断熱層及び第２断熱層の各々には、貫通孔が露出する第１開口及び第２開口が形成されるものである。
【００１９】
このように構成すると、第１開口又は第２開口を介して固定具を貫通孔にセットすることができる。
【００２０】
請求項５記載の発明は、請求項１又は請求項２記載の折板屋根用断熱ボードを折板屋根に取り付けるための折板屋根用断熱ボードの取付け方法であって、折板屋根の凸部の各々の上に折板屋根用断熱ボードを第１断熱層を上にして設置する第１工程と、凸部の少なくとも１つの下面に、凸部の長手方向に延びる板状の固定板と配置する第２工程と、補強層と固定板とで凸部を挟むように固定する第３工程とを備えたものである。
【００２１】
このように構成すると、断熱ボードは固定板を介して折板屋根に固定される。
【００２２】
請求項６記載の発明は、請求項５記載の発明の構成において、第１断熱層には貫通孔が露出する開口が形成され、第３工程において、補強層の貫通孔、凸部及び固定板を貫通する複数のボルトを含む締結具によって固定されると共に、締結具の上部は開口内に収納され、第１断熱層の上面を覆うように防水シートを敷設する第４工程を更に備えたものである。
【００２３】
このように構成すると、締結具の上部は第１断熱層の上面より突き出ることはない。
【００２４】
請求項７記載の発明は、請求項５記載の発明の構成において、第１断熱層には貫通孔が露出する開口が形成され、第３工程において、固定板の上面に固定され、補強層の貫通孔及び凸部を貫通する複数のボルトを含む締結具によって固定されると共に、締結具の上部は開口内に収納され、第１断熱層の上面を覆うように防水シートを敷設する第４工程を更に備えたものである。
【００２５】
このように構成すると、固定板と締結具とが一体となると共に締結具の上部が第１断熱層の上面より突き出ることはない。
【００２６】
請求項８記載の発明は、請求項６又は請求項７記載の発明の構成において、第３工程において、締結具による固定の後に、開口を止水物によって塞ぐ工程を含むものである。
【００２７】
このように構成すると、開口及び締結具を通しての折板屋根への水の浸入が阻止される。
【発明の効果】
【００２８】
以上説明したように、請求項１記載の発明は、断熱ボードが補強層を介して固定されるため、強固な固定が可能となる。
【００２９】
請求項２記載の発明は、請求項１記載の発明の効果に加えて、断熱機能が更に良くなると共に、断熱ボードの上面、下面の差がなくなるため、その取扱いが容易となる。
【００３０】
請求項３記載の発明は、請求項１記載の発明の効果に加えて、開口を介して固定具を貫通孔にセットすることができるため、断熱ボードの取付け作業が容易となる。
【００３１】
請求項４記載の発明は、請求項２記載の発明の効果に加えて、第１開口又は第２開口を介して固定具を貫通孔にセットすることができるため、取扱いが更に容易となる。
【００３２】
請求項５記載の発明は、断熱ボードは固定板を介して折板屋根に固定されるため、安定した取付け状態が維持される。
【００３３】
請求項６記載の発明は、請求項５記載の発明の効果に加えて、締結具の上部は第１断熱層の上面より突き出ることはないため、防水シートの敷設が容易となる。
【００３４】
請求項７記載の発明は、請求項５記載の発明の効果に加えて、固定板と締結具とが一体となるため、断熱ボードの固定が容易となる。又、締結具の上部が第１断熱層の上面より突き出ることはないため、防水シートの敷設が容易となる。
【００３５】
請求項８記載の発明は、請求項６又は請求項７記載の発明の効果に加えて、開口及び締結具を通しての水の浸入が阻止されるため、防水シートの信頼性がより一層向上する。
【発明を実施するための最良の形態】
【００３６】
図１はこの発明の第１の実施の形態による折板屋根用断熱ボードの外観形状を示した平面図であり、図２は図１で示したＩＩ−ＩＩラインの断面図である。
【００３７】
これらの図を参照して、折板屋根用断熱ボード１６は、矩形平板状の補強層１９を中心として構成され、補強層１９の上面にはこれを全面的に覆うように発泡作用によって形成された断熱層１８が形成され、補強層１９の下面側にはこれを全面的に覆うように発泡作用によって形成された断熱層２４が形成されている。尚、補強層１９は金網や金属板等から構成されており、断熱層１８及び断熱層２４は発泡ウレタンによって構成されている。
【００３８】
補強層１９の四隅部分には後述する締結具の取付けのための貫通孔２２ａ〜貫通孔２２ｄが形成されている。また、断熱層１８には貫通孔２２ａ〜貫通孔２２ｄの各々が露出する筒状の開口２１ａ〜開口２１ｄが形成されている。また同様に、断熱層２４にも貫通孔２２ａ〜貫通孔２２ｄの各々が露出する筒状の開口２５ａ〜開口２５ｄ（図示せず）が形成されている。尚、補強層１９の外周端は、その端部が露出しないように断熱層１８及び断熱層２４と同様の断熱層によって覆われている。
【００３９】
図３は図１及び図２で示した折板屋根用断熱ボードを折板屋根に取り付けた状態を折板屋根側から見た図であり、図４は図３で示したＩＶ−ＩＶラインの断面図であり、図５は図４で示した“Ｘ”部分の拡大図である。
【００４０】
これらの図を参照して、折板屋根用断熱ボード１６は、折板屋根２６を構成する凸部２７の各々の上面に設置されている。この実施の形態にあっては、折板屋根用断熱ボード１６の断熱層２４を下側として設置しているが、図１及び図２から明らかなように折板屋根用断熱ボード１６の上面及び下面に差異がないため反転して設置しても良い。すなわち、この実施の形態にあっては、折板屋根用断熱ボード１６の上面及び下面を意識することなく折板屋根２６に対して設置できるため、作業効率が向上する。
【００４１】
折板屋根用断熱ボード１６の補強層１９に形成されている貫通孔２２ｂの下方に対向する折板屋根２６の凸部２７には、ボルト３６ｂが挿通できる大きさの開口３４が形成されている。
【００４２】
次に図１及び図２で示した折板屋根用断熱ボードの取付け手順について説明する。
【００４３】
まず、折板屋根用断熱ボード１６の断熱層２４を下面にして折板屋根２６の凸部２７の上に設置する。この時、凸部２７に形成された開口３４の上方に折板屋根用断熱ボード１６の補強層１９に形成された貫通孔２２ｂが位置するように左右の位置を調整する。この状態で、折板屋根用断熱ボード１６の断熱層１８に形成されている開口２１ｂを利用してボルト３６ｂを上方から貫通孔２２ｂ及び開口３４の各々を挿通するようにセットする。
【００４４】
ボルト３６ｂの下方部分は凸部２７の下面より下方に突き出た状態となっているため、凸部２７の長手方向に延びる長い帯状の固定板３１ａの開口３３にボルト３６ｂが挿通した状態に固定板３１ａをセットする。そして、この状態でナット３７ｂをボルト３６ｂに螺合させる。次にナット３７ｂを締め付けていくことによって、折板屋根用断熱ボード１６の補強層１９と固定板３１ａとで折板屋根２６の凸部２７を挟むように固定されることになる。
【００４５】
上述のように補強層１９は金属製であるため、ナット３７ｂの締付けによって折板屋根用断熱ボード１６を強固に折板屋根２６に固定することが可能となる。また、固定板３１ａは凸部２７の長手方向に延びるように設置されているため、ナット３７ｂを介しての締付け力が分散することになり、より安定した設置状態が維持されることになる。
【００４６】
尚、上述のように断熱層１８には貫通孔２２ｂが露出するような筒状の開口２１ｂが形成されている。したがって、補強層１９の上面に当接したボルト３６ｂの頭部が断熱層１８の上面より上方に突出することはない。又、この実施の形態にあっては、ボルト３６ｂの上面と断熱層１８の上面レベルとの間に所定のスペースが生じている。そこで、この実施の形態にあっては、開口２１ｂの上方を塞ぐべく止水物３９が取り付けられている。したがって、開口２１ｂを介しての水の浸入が阻止されると共に、断熱層１８の上面全体がすべて平滑面となる。
【００４７】
止水物３９の取付けが終了すると、断熱層１８の上面全面に防水シート３２を敷設する。これによって水の浸入から折板屋根用断熱ボード１６及び折板屋根２６を保護することが可能となる。また、上述のように断熱層１８の開口２１ｂには止水物３９が取り付けられているため、防水シート３２に欠損が生じた場合であっても、ボルト３６ｂ等を介しての折板屋根２６内への水の浸入が確実に阻止される。
【００４８】
図６はこの発明の第２の実施の形態による折板屋根用断熱ボードの取付け状態を示した断面図であって、先の実施の形態による図５に対応した図である。
【００４９】
図を参照して、折板屋根用断熱ボード１６の構造及び折板屋根２６に対する設置状態は基本的に第１の実施の形態によるものと同一である。この実施の形態にあっては、凸部２７の下面に配置する固定板４１ａにボルト３６ｂと螺合する雌ネジが形成されている点が異なっている。したがって、この実施の形態にあっては、先の実施の形態のようなナットを必要とすることなく、ボルト３６ｂを直接固定板４１ｂに螺合させることによって折板屋根用断熱ボード１６を固定することが可能となる。この場合、ボルト３６ｂの締付けは折板屋根用断熱ボード１６の上方部からのみ行うことができるため、取付け効率が向上する。
【００５０】
図７はこの発明の第３の実施の形態による折板屋根用断熱ボードの取付け状態を示した概略断面図であって、第１の実施の形態による図５に対応した図である。
【００５１】
図を参照して、折板屋根用断熱ボード１６の構造及び折板屋根２６への取付け状態については基本的に第１の実施の形態と同一である。第１の実施の形態と異なっている点は、第１の実施の形態において用いられた固定板３１ａがこの実施の形態にあっては使用されていない点である。すなわち、凸部２７を挿通してきたボルト３６ｂの下方部にナット３７ｂが螺合しており、ナット３７ｂの締付けによって凸部２７の下面にナット３７ｂが直接当接状態となる点が異なっている。これによって折板屋根用断熱ボード１６を簡易に折板屋根２６に固定することが可能となる。
【００５２】
図８はこの発明の第４の実施の形態による折板屋根用断熱ボードの取付け状態を示した概略断面図であって、第１の実施の形態による図５に対応した図である。
【００５３】
図を参照して、折板屋根用断熱ボード１６の構造及び折板屋根２６に対する取付け状態については基本的に第１の実施の形態によるものと同一である。この実施の形態にあっては、折板屋根用断熱ボード１６を折板屋根２６に固定する締結具の構造が大きく異なっている。すなわち、凸部２７の長手方向に延びる帯状の固定板４３ｂの上面に所定間隔で複数のボルト４４が固定されている。ボルト４４の上方端部側にはネジ山が形成されている。
【００５４】
折板屋根用断熱ボード１６の取付けに際しては、折板屋根用断熱ボード１６を折板屋根２６に対して左右に調整した状態で、凸部２７の下方部から固定板４３ｂをボルト４４と共に上方へ移動させる。そしてボルト４４が凸部２７に形成された開口３４及び補強層１９に形成された貫通孔２２ｂを挿通するように固定板４３ｂを凸部２７に対してセットする。この状態でボルト４４の先端は断熱層１８の上面レベルより上方に突き出ないようにボルト４４の長さが設定されている。次に、ボルト４４の先端にナット４５を螺合させ、これを締め付けることによって折板屋根用断熱ボード１６を折板屋根２６に対して強固に固定することが可能となる。この方法によれば、複数のボルト４４を折板屋根用断熱ボード１６に対して一度で挿通することができるため、作業効率が向上する。
【００５５】
ナット４５の締付けが終了すると、断熱層１８の開口２１ｂを塞ぐべく止水物３９を取付け、更に防水シート３２を断熱層１８上面に敷設することによって折板屋根用断熱ボード１６の取付け作業が完了する。
【００５６】
図９はこの発明の第５の実施の形態による折板屋根用断熱ボードの概略形状を示した断面図であって、第１の実施の形態による図２に対応した図である。
【００５７】
尚、この実施の形態による折板屋根用断熱ボード１６の平面図は第１の実施の形態による図１に示したものと基本的には同一である。
【００５８】
図９を参照して、折板屋根用断熱ボード１６は、矩形平板状の補強層４９と、補強層４９の上面全面を覆うように発泡作用によって形成された断熱層４８とから構成されている。補強層４９は金網や金属板より構成されており、断熱層４８は発泡ウレタンによって形成されている。補強層４９の四隅の各々には締結用の貫通孔５２ａ〜貫通孔５２ｄ（図示せず）が形成されている。断熱層４８の平面視における四隅には、貫通孔５２ａ〜貫通孔５２ｄの各々が露出するように円筒形の開口５１ａ〜開口５１ｄ（図示せず）が形成されている。また、補強層４９の外方端部が露出しないように断熱層４８と同様の発泡ウレタンよりなる断熱層が形成されている。
【００５９】
図１０は図９で示した折板屋根用断熱ボードの取付け状態を示した概略断面図であり、第１の実施の形態による図５に対応した図である。
【００６０】
図を参照して、折板屋根用断熱ボード１６の取付けに際しては、折板屋根用断熱ボード１６の補強層４９を下面としてこれを折板屋根２６の凸部２７の上面に設置する。そして補強層４９に形成されている貫通孔２２ｂが凸部２７に形成されている開口３４の上方に位置するように、折板屋根用断熱ボード１６の左右の位置合わせが行われる。折板屋根用断熱ボード１６の位置合わせが終了すると、断熱層４８の開口５１ｂを利用してボルト３６ｂを上方から貫通孔２２ｂ及び開口３４の各々に挿通するようにセットする。これによってボルト３６ｂの下方部が凸部２７の下方面から下方に突き出た状態となる。
【００６１】
この状態で、ボルト３６ｂに凸部２７の長手方向に沿って延びる帯状の固定板３１ａをその開口がボルト３６ｂに挿通するようにセットする。そしてボルト３６ｂの下方端にナット３７ｂを螺合させ、これを締め付けることによって折板屋根用断熱ボード１６は折板屋根２６に強固に固定されることになる。この実施の形態にあっては、金属製の補強層４９が折板屋根２６の凸部２７に直接設置した状態で締め付けられるため、より強固に折板屋根用断熱ボード１６を固定することが可能となる。
【００６２】
ボルト３６ｂの取付けが終了すると、開口５１ｂの上部を塞ぐべく止水物３９を取付け、更に断熱層４８の上面に防水シート３２を敷設することによって折板屋根用断熱ボード１６の折板屋根２６に対する取付け作業が完了する。
【００６３】
尚、上記の第１から第４の実施の形態では、２つの断熱層の各々に貫通孔を露出させる開口が形成されているが、上方の断熱層にのみ形成するようにしても良い。
【００６４】
又、上記の各実施の形態では、補強層は金属製となっているが、樹脂板のようなある程度の硬さを有するものであれば他の材料によるものでも良い。
【００６５】
更に、上記の各実施の形態では、第４の実施の形態以外、ボルトの頭は上方に配置されているが、これに代えてボルトの頭を下方に配置して上方でナットと係合するようにしても良い。
【００６６】
更に、上記の各実施の形態では、止水物を設置しているが止水物はなくても良く、あるいはこれに代えて開口に樹脂等を流しこんで止水効果を発揮させるようにしても良い。
【００６７】
更に、上記の各実施の形態では、締結具に対して止水物を別途も受けているが、この締結具として用いられるボルト、ナット等に止水パッキン等を設置して止水効果を持たせるようにしても良い。
【００６８】
更に、上記の各実施の形態では、防水シートを断熱ボードの上面全面に敷設しているが、防水シートは必ずしもなくても良い。
【００６９】
更に、上記の各実施の形態では、断熱ボードはあらかじめ製作しておき、これを搬入して設置しているが、これに代えて断熱ボードを現地で形成しても良い。すなわち、補強層となる金網等を現地で設置した後、発泡ウレタンを塗布する。そして、これを発泡させて断熱層を形成すると共に開口を形成するようにしても良い。
【図面の簡単な説明】
【００７０】
【図１】この発明の第１の実施の形態による折板屋根用断熱ボードの外観形状を示した平面図である。
【図２】図１で示したＩＩ−ＩＩラインの断面図である。
【図３】図１及び図２で示した折板屋根用断熱ボードを折板屋根に取り付けた状態の折板屋根側から見た底面図である。
【図４】図３で示したＩＶ−ＩＶラインの断面図である。
【図５】図４で示した“Ｘ”部分の拡大断面図である。
【図６】この発明の第２の実施の形態による折板屋根用断熱ボードの取付け状態を示した概略断面図であって、図５に対応した図である。
【図７】この発明の第３の実施の形態による折板屋根用断熱ボードの取付け状態を示した概略断面図であって、図５に対応した図である。
【図８】この発明の第４の実施の形態による折板屋根用断熱ボードの取付け状態を示した概略断面図であって、図５に対応した図である。
【図９】この発明の第５の実施の形態による折板屋根用断熱ボードの概略形状を示した断面図であって、図２に対応した図である。
【図１０】図９で示した折板屋根用断熱ボードの取付け状態を示した概略断面図であって、図５に対応した図である。
【図１１】従来の折板屋根を改修した際の折板屋根構造体の構成を示した概略斜視図である。
【図１２】図１１で示したＸＩＩ−ＸＩＩラインから見た図である。
【図１３】図１２に対応した図であって、従来の折板屋根の改良状態を示した図である。
【符号の説明】
【００７１】
１６…折板屋根用断熱ボード
１８，２４，４８…断熱層
１９，４９…補強層
２１，２５，３３，３４，５１…開口
２２，５２…貫通孔
２６…折板屋根
２７…凸部
３１，４１，４３…固定板
３６，４４…ボルト
３７，４５…ナット
３９…止水物
尚、各図中同一符号は同一又は相当部分を示す。
【図１】
2008144494.tif 000003
【図２】
2008144494.tif 000004
【図３】
2008144494.tif 000005
【図４】
2008144494.tif 000006
【図５】
2008144494.tif 000007
【図６】
2008144494.tif 000008
【図７】
2008144494.tif 000009
【図８】
2008144494.tif 000010
【図９】
2008144494.tif 000011
【図１０】
2008144494.tif 000012
【図１１】
2008144494.tif 000013
【図１２】
2008144494.tif 000014
【図１３】
2008144494.tif 000015